(57)【要約】【課題】  押して滑らかに動くことができ、動作の省力化を図ることができる、カッターのスライダーを提供すること【解決手段】  スライダーは、上部スライド要素と、下部スライド要素と、弾性タブとを有する。上部スライド要素は、上部スライド要素に横方向に形成されかつ上部スライド要素から突出した２つの突起を有する。各突起は傾斜押し面を有する。下部スライド要素は、上部スライド要素に結合され、チャンバーと、２つの貫通穴とを有する。貫通穴は、それぞれが突起の傾斜押し面に対応する位置で下部スライド要素に設けられ、チャンバーと連通している。弾性タブは、チャンバーに保持され、弾性タブの２つの端部から内側部に向けて突出した２つの脚部を有する。各脚部は、下部スライド要素の貫通穴の１つから外に延びた係合端部を有し、上部スライド要素の対応する突起の１つの傾斜押し面と接している。【選択図】図１
0003162843.tif 000002
【実用新案登録請求の範囲】
【請求項１】
上部スライド要素と、該上部スライド要素に結合された下部スライド要素と、該下部スライド要素のチャンバー内に保持された弾性タブとを含み、
前記上部スライド要素は、内側部と、該内側部の横方向に形成されかつ該内側部から突出した２つの突起とを有し、
各突起は、互いに向かい合った端部と、前記突起の前記端部に設けられた傾斜押し面とを有し、
前記下部スライド要素は、前記内側部と向かい合った外側部と、前記内側部の反対側にある内側部と、前記下部スライド要素の一方の端部から突出した刃取付部と、前記下部スライド要素に設けられたチャンバーと、それぞれが前記上部スライド要素の前記突起の傾斜押し面に対応する位置で前記下部スライド要素に設けられた２つの貫通穴とを有し、
前記チャンバーは前記下部スライド要素の内側部の開口部を有し、
前記貫通穴は前記チャンバーと連通し、
前記弾性タブは該弾性タブの２つの端部から内側部に向けて突出した２つの脚部を有し、
各脚部は、前記下部スライド要素の貫通穴の１つから外に延びた係合端部を有し、前記上部スライド要素の対応する１つの前記突起の傾斜押し面と接している、
カッターのスライダー。
【請求項２】
前記上部スライド要素は、保持凹所と、押し切り欠きとを有し、
前記保持凹所は、該保持凹所の２つの側部のそれぞれに前記上部スライド要素の内側部の２つのフランジを設けるべく、該上部スライド要素の内側部に設けられ、
前記押し切り欠きは、前記傾斜押し面を備えた前記突起を前記押し切り欠きが設けられた前記フランジの２つの端部のそれぞれに形成させるべく、前記フランジの１つに設けられている、請求項１に記載のスライダー。
【請求項３】
前記下部スライド要素は、該下部スライド要素の外側部に形成されかつ前記下部スライド要素の外側部から突出した拡張部を有し、該拡張部は前記上部スライド要素の保持凹所に取り付けられ、
前記下部スライド要素の前記貫通穴は前記拡張部の上部を貫いて設けられている、請求項２に記載のスライダー。
【請求項４】
前記下部スライド要素の前記拡張部は、該拡張部を貫いて設けられた細長い溝を有し、前記拡張部は前記下部スライド要素の前記チャンバーと連通し、
前記上部スライド要素は保持凹所の底面に形成されかつ該保持凹所の底面から突出した位置決めタブを有し、該位置決めタブは、前記下部スライド要素の前記拡張部の前記細長い溝に通されて取り付けられ、前記下部スライド要素の前記チャンバー内に延びている、請求項３に記載のスライダー。
【請求項５】
前記上部スライド要素の前記位置決めタブは、前記下部スライド要素の前記チャンバーの内面から距離を隔て、該距離は前記弾性タブの厚さに等しい、請求項４に記載のスライダー。
【請求項６】
前記下部スライド要素は、間隔をおいて前記チャンバーの底面に形成されかつ前記チャンバーの底面から突出した２つの保持タブを有する、請求項１ないし５のいずれか１項に記載のスライダー。
【請求項７】
各保持タブは、前記下部スライド要素の前記チャンバーの内面から距離を隔て、該距離は前記弾性タブの厚さに等しい、請求項６に記載のスライダー。
【請求項８】
前記弾性タブの各脚部の前記係合端部は湾曲している、請求項１、６及び７のいずれか１項に記載のスライダー。
【請求項９】
前記下部スライド要素は、該下部スライド要素の２つの側縁部に形成されかつ該下部スライド要素の２つの側縁部から突出した２つのレールを有する、請求項１、６ないし８のいずれか１項に記載のスライダー。
【請求項１０】
前記スライダーは、刃ホルダーに摺動可能に取り付けられるように構成され、前記弾性タブの前記脚部の前記係合端部は、前記刃ホルダーに設けられた歯と係合するように構成されている、請求項１、６ないし９のいずれか１項に記載のスライダー。
【考案の詳細な説明】
【技術分野】
【０００１】
本考案は、スライダーに関し、特に押して滑らかに動かすことのできるカッターのスライダーに関する。
【背景技術】
【０００２】
紙又は同様のものを切るために、カッターすなわちカッターナイフが広く使用され、該カッターは、刃ホルダーと、刃と、スライダーとを含む。前記刃は、前記刃ホルダーに摺動可能に取り付けられている。前記スライダーは、前記刃ホルダーに摺動可能に取り付けられ、様々な仕事のニーズに応ずるように前記刃ホルダーから様々な所望の長さに前記刃を押し出すべく、前記刃に結合されている。
【０００３】
図８を参照するに、考案の名称がカッターの台湾実用新案登録第Ｍ２５７２６８号が、上部スライド要素７０と、下部スライド要素７２と、弾性タブ７４とを含むスライダーを開示している。上部スライド要素７０は、該上部スライド要素に形成されかつ前記上部スライド要素から突出する２つの押し棒７０２を有する。下部スライド要素７２は、上部スライド要素７０に結合されている。弾性タブ７４は、上部スライド要素７０と下部スライド要素７２との間に取り付けられ、前記弾性タブは、それぞれが前記上部スライド要素の押し棒７０２に接する２つの脚部７４２を有する。弾性タブ７４の脚部７４２は、刃ホルダーと関連する位置で前記スライダーと接続された刃を保持するように前記刃ホルダーに形成された歯と係合する。
【０００４】
前記スライダーが押されるとき、脚部７４２の１つは、前記刃を前記刃ホルダーから外に伸び又は前記刃ホルダー内に引き込むべく前記刃ホルダーに対して動かされるように、前記歯から離れるように対応する押し棒７０２により押されることができる。その結果、脚部７４２は、該脚部の弾性反跳力により前記歯と自動的に係合することができる。前記スライダーを備えた前記刃は、前記刃ホルダーに対して所望の位置で位置決めすることができる。
【０００５】
しかし、従来のスライダーの押し棒７０２はリブとして形成されているから、前記押し棒の構造強度は十分ではない。特に、押し棒７０２は、容易に変形され、上部スライド要素７０を形成する射出成形過程の間に所望のサイズを得られない。
【０００６】
さらに、従来のスライダーの押し棒７０２は、弾性タブ７４の脚部７４２の中央部分と接し、前記弾性タブの前記脚部の中央部分を押し、その結果、前記歯から離れるために脚部７４２を押す大きな力が必要となる。したがって、利用者が、大きな力で前記スライダーを押さなければならず、従来のスライダーの操作は面倒である。
【０００７】
図９を参照するに、発明の名称がカッターナイフのスライダーの米国特許第４７９４６９３号が、解除突起８０を有するスライダーを開示している。解除突起８０は、ストッパー８０のフラップをホルダーに設けられたストッパーくぼみに係合させるべく、それぞれが弾性ストッパー８２の２つの連結フラップの内面と接する２つの端部を有する。ストッパー８０の前記フラップと前記くぼみとの間の係合により、前記スライダーに結合された刃を備えた前記スライダーは、位置に保持することができる。
【０００８】
しかし、解除突起８０の前記端部は、それぞれがストッパー８０の前記フラップの内面と接するから、ストッパー８０の前記フラップは、前記くぼみから離れるように外側部へ押される。前記フラップの外側部への屈曲により、前記くぼみと再係合するように前記フラップによりもたらされる前記弾性反跳力は、小さく、不十分である。その結果、前記フラップと前記くぼみとの間の前記係合は、完全ではなく、前記刃を備えた前記スライダーにもたらされた位置決め効果が安定しない。また、ピン８４が、スライダー上のストッパー８２に取り付けるために必要とされ、従来のスライダーの組立を困難にする。また、米国特許第４７９４６９３号は、ストッパーの２つのフラップの外面とそれぞれが接する２つの突起を含む他の実施例を開示しているが、前記くぼみから前記フラップの端部を離すには大きな力を必要とする。米国特許第４７９４６９３号のスライダーの操作もまた、面倒であり、不便である。
【０００９】
この欠点を克服すべく、本考案は、前記問題を軽減し又は未然に防ぐためにカッターのスライダーを提供する。
【考案の概要】
【考案が解決しようとする課題】
【００１０】
本考案の目的は、安定した部品を備えた単純化された構造を有し、容易に組み立てることができ、押して滑らかに動くことができ、動作の省力化を図ることができる、カッターのスライダーを提供することにある。
【課題を解決するための手段】
【００１１】
スライダーは、上部スライド要素と、下部スライド要素と、弾性タブとを有する。前記上部スライド要素は、内側部と、２つの突起とを有する。前記突起は、前記上部スライド要素の内側部の横方向に形成されかつ該上部スライド要素の内側部から突出している。各突起は、互いに向かい合った端部と、前記突起の前記端部に設けられた傾斜押し面とを有する。前記下部スライド要素は、前記上部スライド要素に結合されている。前記下部スライド要素は、外側部と、内側部と、刃取付部と、チャンバーと、２つの貫通穴とを有する。前記外側部は、前記上部スライド要素の内側部と向かい合い、前記内側部は、前記上部スライド要素の内側部の反対側にある。前記刃取付部は、前記下部スライド要素の一方の端部から突出している。前記チャンバーは前記下部スライド要素に設けられ、前記チャンバーは前記下部スライド要素の内側部の開口部を有する。前記貫通穴は、それぞれが前記上部スライド要素の前記突起の前記傾斜押し面に対応する位置で前記下部スライド要素に設けられている。前記貫通穴は、前記チャンバーと連通している。前記弾性タブは、前記下部スライド要素の前記チャンバーに保持されている。前記弾性タブは、該弾性タブの２つの端部から内側部に向けて突出している２つの脚部を有する。各脚部は、前記下部スライド要素の前記貫通穴の１つから外へ延びる係合端部を有している。前記脚部は、前記上部スライド要素の突起の１つに対応する傾斜押し面と接している。
【００１２】
本考案の他の目的、利点及び新規の特徴は、添付の図面に関する以下の詳細な説明からより明らかになる。
【図面の簡単な説明】
【００１３】
【図１】本考案に係るスライダーを備えたカッターの斜視図。
【図２】図１のスライダーを備えたカッターの分解斜視図。
【図３】図１のカッターの刃の分解斜視図。
【図４】図１のスライダーを備えたカッターの部分側面図。
【図５】図４のスライダー部分の側面図。
【図６】図４のスライダー部分の拡大側面図であって刃ホルダーから刃を伸ばすようにスライダーを押した状態を示す。
【図７】図４のスライダー部分の拡大側面図であって刃ホルダーに刃を引き込むようにスライダーを押した状態を示す。
【図８】従来のスライダー部分の拡大側面図。
【図９】従来のスライダー部分の拡大側面図。
【考案を実施するための形態】
【００１４】
図１ないし図３を参照するに、本考案に係るスライダーは、カッターの刃ホルダー５０に摺動可能に取り付けられている。前記スライダーは、前記刃ホルダーから外に伸びる刃を押すように又は前記刃ホルダー内に引き込む刃を引くように前記カッターの刃５４に結合されている。前記スライダーは、刃５４を備えた前記スライダーに位置決め効果をもたらすべく、刃ホルダー５０に形成された歯５２に係合している。前記スライダーは、上部スライド要素１０と、下部スライド要素２０と、弾性タブ３０とを含む。
【００１５】
図４及び図５を参照するに、上部スライド要素１０は、内側部と、２つの突起１３２と、位置決めタブ１６とを有する。
【００１６】
突起１３２は、上部スライド要素１０の内側部の横方向に形成され、前記上部スライド要素の内側部から突出している。各突起１３２は、互いに向かい合う端部と、突起１３２の前記端部に設けられた傾斜押し面１３４とを有する。好ましくは、保持凹所１２が、該保持凹所の２つの側部のそれぞれに上部スライド要素１０の内側部の２つのフランジ１３を設けるべく、該上部スライド要素の内側部に設けられている。押し切り欠き１４が、傾斜押し面を備えた突起１３２をフランジ１３の２つの端部のそれぞれに基本的に形成されるように、該フランジの１つの中央部分に設けられている。これに代えて、突起１３２は、上部スライド要素１０の内側部に形成されかつ該上部スライド要素の内側部から突出したものとすることができる。位置決めタブ１６は、細長く、保持凹所１２の底面の中央部分に横方向に形成されかつ前記保持凹所の底面の中央部分から突出している。
【００１７】
下部スライド要素２０は中空で、該下部スライド要素は、上部スライド要素１０と結合し、前記カッターの刃ホルダー５０に摺動可能に取り付けられている。下部スライド要素２０は、外側部と、内側部と、刃取付部２１と、２つのレール２２と、チャンバー２４と、２つの貫通穴２５４と、２つの保持タブ２６とを有する。
【００１８】
下部スライド要素２０の前記外側部は、上部スライド要素１０の前記内側部と向かい合い、前記下部スライド要素の内側部は、前記上部スライド要素の内側部の反対側にある。刃取付部２１は、下部スライド要素２０の一方の端部に形成されかつ該下部スライド要素の一方の端部から突出し、スタブを備える前記カッターの刃５４と結合されている。レール２２は、下部スライド要素２０の２つの側縁部に形成され、該下部スライド要素の２つの側縁部から突出している。レール２２は、下部スライド要素２０を刃ホルダー５０に摺動可能に取り付けるべく、それぞれが前記刃ホルダーに設けられた溝に摺動可能に取り付けられている。
【００１９】
チャンバー２４は、下部スライド要素２０を中空にするように前記下部スライド要素に設けられている。チャンバー２４は、下部スライド要素２０の内側部に設けられた開口部を有する。貫通穴２５４は、それぞれが上部スライド要素１０の突起１３２の傾斜押し面１３４に対応する位置で下部スライド要素２０に設けられている。貫通穴２５４は、チャンバー２４と連通している。好ましくは、拡張部２５が、下部スライド要素２０の外側部に形成されかつ該下部スライド要素の外側部から突出している。拡張部２５は、上部スライド要素１０の保持凹所１２に取り付けられている。貫通穴２５４は、拡張部２５の上部を貫いて設けられている。拡張部２５は、該拡張部を貫いて設けられた細長い溝２５２を有し、前記拡張部は下部スライド要素２０のチャンバー２４と連通している。上部スライド要素１０の位置決めタブ１６は、拡張部２５の細長い溝２５２を介して下部スライド要素２０のチャンバー２４内に延びている。位置決めタブ１６は、上部スライド要素１０及び下部スライド要素２０を共に結合するように溝２５２と係合することができる。位置決めタブ１６と下部スライド要素２０のチャンバー２４の内面とは、距離を隔てている。保持タブ２６は、間隔をおいてチャンバー２４の底面に形成されかつ該チャンバーの底面から突出している。各保持タブ２６は、下部スライド要素２０のチャンバー２４の内面から距離を隔てている。保持タブ２６とチャンバー２４の内面との間の距離は、上部スライド要素１０の位置決めタブ１６とチャンバー２４の内面との間の距離に等しい。
【００２０】
弾性タブ３０は下部スライド要素２０のチャンバー内にしっかりと保持され、前記弾性タブは、上部スライド要素１０の位置決めタブ１６又は下部スライド要素２０の保持タブ２６とチャンバー２４の内面との間の距離に等しい厚さを有する。弾性タブ３０は、該弾性タブの２つの端部から内側部に突出する２つの脚部３１、３２を有し、第１の脚部３１と、第２の脚部３２とを含む。２つの屈曲部分が、脚部３１、３２の下端部に設けられている。下部スライド要素２０の保持タブ２６は、それぞれが前記屈曲部分に隣接した弾性タブ３０に接している。各脚部３１、３２は、対応する屈曲部分に向かい合って形成された係合端部を有する。前記係合端部は、湾曲することができ、下部スライド要素２０の貫通穴２５４の１つから外に延び、押し切り欠き１４に保持されている。前記係合端部は、上部スライド要素１０の対応する突起１３２の１つの傾斜押し面１３４と接し、刃ホルダー５０の歯５２と係合している。また、第１の脚部３１の係合端部と接している上部スライド要素１０の傾斜押し面１３４は、第１の傾斜押し面１３４として設けられ、第２の脚部３２の係合端部と接している上部スライド要素１０の他の傾斜押し面１３４は、第２の傾斜押し面１３４として設けられている。
【００２１】
前記スライダーに結合するために、弾性タブ３０は、前記開口部を通して下部スライド要素２０のチャンバー２４内に取り付けられ、保持タブ２６とチャンバー２４の内面との間に保持されている。弾性タブ３０が保持タブ２６とチャンバー２４の内面との間に保持されていることにより、前記弾性タブは、下部スライド要素２０のチャンバー２４内にしっかりと取り付けられている。このとき、弾性タブ３０の脚部３１、３２の前記係合端部は、それぞれが貫通穴２５４に通されて下部スライド要素２０から外へ延びている。上部スライド要素１０は、保持凹所１２を備える下部スライド要素２０の拡張部２５の周囲に取り付けられている。位置決めタブ１６は、細長い溝２５２を通して取り付けられ、弾性タブ３０に位置決め効果をもたらすように前記弾性タブに対して接している。その結果、弾性タブ３０の脚部３１、３２の前記係合端部は、それぞれが突起１３２の傾斜押し面１３４と接している。下部スライド要素２０の刃取付部２１上に刃５４を結合したあと、前記刃を備えた前記スライダーは、弾性タブ３０の脚部３１、３２の前記係合端部を刃ホルダー５０に形成された歯５２と係合させるように、前記刃ホルダーの一方の端部内に挿入される。プラグ又はカバーが刃ホルダー５０の端部に取り付けられた後、カッターは組み立てを終える。
【００２２】
図５ないし図７を参照するに、刃ホルダー５０に対して動くように前記スライダーが押されたとき、刃５４は、前記刃ホルダーから外へ伸びるように押すことができ、前記刃ホルダー内に引き込むように引くことができる。図６を参照するに、刃ホルダー５０から外へ伸びるように刃５４が押されたとき、上部スライド要素１０の第１の傾斜押し面１３４は、歯５２から離れるように弾性タブ３０の第１の脚部３１の前記係合端部を押す。第２の脚部３２の湾曲した前記係合端部は、前記スライダーの動作の間、歯５２から自動的に係合を解くように前記歯により押されることができる。前記スライダーの動作の間、弾性タブ３０の脚部３１、３２の前記係合端部は、前記脚部によりもたらされる弾性反跳力により歯５２と自動的に係合することができる。
【００２３】
所望の長さに刃ホルダー５０から外へ伸びるように刃５４が押されたとき、前記刃は、紙又は同様のものを切るために脚部３１、３２の前記係合端部と歯５２との間の係合によって位置決めすることができる。
【００２４】
図７を参照するに、刃ホルダー５０内に刃５４を引き込むために、前記スライダーは、逆方向に動くように引っ張られ、弾性タブ３０の第２の脚部３２は、上部スライド要素１０の第２の傾斜押し面１３４により押される。第２の脚部３２の前記係合端部は、歯５２から離れるように押すことができ、第１の脚部３１の湾曲した前記係合端部は、前記スライダーの逆の動作過程において歯５２から自動的に離れることができる。脚部３１、３２によりもたらされる前記弾性反跳力は、刃５４を備える前記スライダーに位置決め効果を与えるように、前記係合端部を歯５２に自動的に係合させることができる。
【００２５】
前記の配置により、脚部３１、３２の係合端部の前記屈曲は、異なるデザイン又は使用ニーズに応じるために前記係合端部と刃ホルダー５０の歯５２との間の係合力を調整すべく、変更することができる。音が、前記スライダーの動作の間、前記係合端部が歯５２にぶつかることにより生ずることがある。
【００２６】
また、弾性タブ３０は、上部スライド要素１０と下部スライド要素２０とを結合する過程の間、本質的に適所に保つことができ、前記スライダーの組立を容易にかつ便利にする。さらに、上部スライド要素１０に横方向に形成された突起１３２は、構造強度を向上させ、及び弾性タブ３０の脚部３１、３２を十分に押す力を提供する。突起１３２は、容易に損傷すること又は壊れることはない。横方向に延びる突起１３２は、容易に変形せず、該突起は、射出成形過程の間に所望のサイズを容易に得ることができる。突起１３２の前記構造は、安定しかつ耐久性がある。
【００２７】
傾斜押し面１３４が弾性タブ３０の脚部３１、３２の前記係合端部の外側部に接することにより、脚部３１、３２は、互いに関して内側部に曲げるように押される。脚部３１、３２の動作及び屈曲は、上部スライド要素１０の押し切り欠き１４により設けられた範囲に限定することができ、その結果、歯５２に係合するように脚部３１、３２の反跳運動が正確かつ実質的になる。小さな力が、脚部３１、３２を移動させかつ曲げるように前記スライダーを押すために必要とされるが、大きな反跳力が、前記係合端部を歯５２と再係合するように脚部３１、３２によりもたらされる。したがって、前記スライダーは、容易に押され、前記スライダーの動作は滑らかである。弾性タブ３０の前記係合端部は、引っかかることがないようにすることができる。
【００２８】
本考案の様々な特徴や利点を詳細な構造や機能とともに上記にて説明してきたが、開示は一例にすぎない。変更すること、特に形状や大きさ、部品の配置を変更することは、添付の請求項が表現する言葉の広い解釈により定められる範囲を超えない限り可能である。
【符号の説明】
【００２９】
１０        上部スライド要素
１２        保持凹所
１３        フランジ
１４        押し切り欠き
１６        位置決めタブ
２０        下部スライド要素
２１        刃取付部
２２        レール
２４        チャンバー
２５        拡張部
２６        保持タブ
３０        弾性タブ
３１、３２  脚部
５０        刃ホルダー
５２        歯
１３２      突起
１３４      傾斜押し面
２５２      細長い溝
２５４      貫通穴
【図１】
0003162843.tif 000003
【図２】
0003162843.tif 000004
【図３】
0003162843.tif 000005
【図４】
0003162843.tif 000006
【図５】
0003162843.tif 000007
【図６】
0003162843.tif 000008
【図７】
0003162843.tif 000009
【図８】
0003162843.tif 000010
【図９】
0003162843.tif 000011